【手続補正書】
【提出日】平成19年10月31日(2007.10.31)
【手続補正１】
【補正対象書類名】明細書
【補正対象項目名】発明の名称
【補正方法】変更
【補正の内容】
【発明の名称】再アクセス可能な医療針安全装置
【手続補正２】
【補正対象書類名】明細書
【補正対象項目名】特許請求の範囲
【補正方法】変更
【補正の内容】
【特許請求の範囲】
【請求項１】  針チップ保護シールドから医療針に反復してアクセスするために使用できる、針を逐次的に使用するための医療針安全システムにおいて：
細長い医療針および針ハブを含む医療針アセンブリーを備え、前記医療針は前記ハブに固定され、且つ遠位に配置された尖ったチップおよび前記ハブから前記チップへの線に沿って中間に配置される長い軸を有しており；
前記ハブにヒンジ結合されかつシールドを有する安全シールドアセンブリーを備え、前記シールドは、各セグメントが少なくとも一つの他のセグメントにヒンジ結合される複数の折り畳み可能なセグメントを含んでおり、少なくとも一つの前記セグメントは前記針の長軸回りで旋回するように円弧状であり、
前記シールドアセンブリーは更に、少なくとも一つの解除可能なラッチ部分を含み、該ラッチ部分は前記シールドが前記針の回りに伸張されたときにラッチして、前記針および針チップの回りに保護的に配置された針とは独立し且つ実質的に剛性の構造を与える目的で前記シールドを固定し、更にまた、アクチュエータを備えており、該アクチュエータにより、前記ラッチが解除されて、前記シールドが折り畳み可能に後退し、前記針および針チップが使用のために裸にされ、また後で針およびそのチップの回りに際伸張することを可能にする、
ことを特徴とする安全システム。
【請求項２】  請求項１に記載の医療針安全システムであって、前記シールドアセンブリーは更に、針ガイドおよび該ガイドを前記シールドの遠位セグメントに取付けるためのヒンジを含み、それによって、前記シールドが伸張して前記針チップをカバーし、また折り畳み可能に後退して前記針およびチップをそれぞれ使用のために裸にするときに、前記ガイドが前記シールドの遠位セグメントに対して回転して、前記針の長軸に沿って遠位方向および近位方向に線型に摺動することを可能にし、前記ガイドは前記針と相互作用して、前記針チップが前記シールドアセンブリーの如何なる部分にも接触しないように、前記針チップを前記シールドの中へおよび該シールドから外へと変位させることを特徴とする安全システム。
【請求項３】  請求項１に記載の医療針安全システムであって、前記安全シールドアセンブリーは、前記アクチュエータと連絡して前記アセンブリーの遠位端に対して解除トリガーを与えるために、少なくとも一つの遠位方向に配置された部分を含むことを特徴とする安全システム。
【請求項４】  請求項３に記載の医療針安全システムであって、前記シールドの最も遠位方向のセグメントは、針刺し通り可能なターゲットとインターフェースして、不注意による針の突き刺しに対する保護を与える針保護接続アダプタに接続するための少なくとも一つの部材を含み、前記針が前記刺し通し可能なターゲットと係合しながら前記シールドが折り畳みおよび伸張されるときに、過大なトルクが前記針に加わらないように、前記部材は前記針ガイドの回転中心に近接して並置されることを特徴とする安全システム。
【請求項５】  請求項４に記載の医療針安全システムであって、前記接続部材は、前記細長いトリガー解除部分の不注意による変位に対するガードを提供することを特徴とする安全システム。
【請求項６】  請求項４に記載の医療針安全システムであって、前記接続部材は短径に対して直交する長径を有する細長い構造を含み、前記シールドが前記針をカバーするときに前記長径は実質的に前記針の長軸と整列し、前記針が使用のために裸にされるときには、前記長径が実質的に前記針の長軸と整列しないように、前記針の回りでの前記シールドの回転によって変位されることを特徴とする安全システム。
【請求項７】  請求項４に記載の医療針安全システムであって、更に、針保護アダプタを含み、前記少なくとも一つの部材が前記アダプタとインターフェースすることを特徴とする安全システム。
【請求項８】  請求項７に記載の医療針安全システムであって、前記少なくとも一つの部材および針保護アダプタは、組合せにおいて、解除可能なインターフェースを含み、それにより解除可能なラッチ部分が解除されてシールドの変位を可能にすることを特徴とする安全システム。
【請求項９】  請求項８に記載の医療針安全システムであって、前記解除可能なインターフェースは接続リンケージを含み、該接続リンケージは各アダプタを最も遠位のセグメントに接続し、また前記シールドが伸張されたときにのみ選択的に分離することができることを特徴とする安全システム。
【請求項１０】  請求項７に記載の医療針安全システムであって、前記少なくとも一つの部材および針保護アダプタが一緒になってロックおよび鍵の組合わせを含み、該組合せは解除可能なインターフェースを含み、ここで前記組合せの一つの要素はロックとして作用し、また他の要素は鍵として作用して、前記解除可能なラッチの不注意による解除に対する完全性を保証することを特徴とする安全システム。
【請求項１１】  請求項７に記載の医療針安全システムであって、前記アダプタは真空サンプリング管への接続部を含むことを特徴とする安全システム。
【請求項１２】  請求項７に記載の医療針安全システムであって、前記アダプタは臍帯コードサンプリング装置との接続部を含むことを特徴とする安全システム。
【請求項１３】  請求項７に記載の医療針安全システムであって、前記アダプタはバイアル瓶接続要素を含むことを特徴とする安全システム。
【請求項１４】  請求項７に記載の医療針安全システムであって、前記アダプタは「Ｙ」接合部位に取付けるためのコネクタを含むことを特徴とする安全システム。
【請求項１５】  請求項１に記載の医療針安全システムであって、更に、前記針ハブに取付けられたシリンジを備えることを特徴とする安全システム。
【請求項１６】  請求項１に記載の医療針安全システムであって、更に、前記ラッチ部分に結合されたロック部分を備え、該ロック部分は前記シールドに配置された前記受け止め部と共に動作して、前記針および針チップへの更なるアクセスを拒否することを特徴とする安全システム。
【請求項１７】  請求項１に記載の医療針安全システムであって、更にアダプタを備え、該アダプタは前記アクチュエータと連絡して前記シールドをラッチ解除しおよび再ラッチし、また、ターゲット液体スペースと前記医療針アセンブリーとの間のインターフェースを与え、前記アダプタは更に、前記針が前記保護シールドから変位される間に、前記チップおよび針の一部のための保護された通路を与えることを特徴とする安全システム。
【請求項１８】  請求項１７に記載の医療針安全システムであって、前記チップ保護シールドおよびアダプタは協働して接続部分を構成し、該接続部分は、接合されたときに前記シールドを付勢して、前記針および針チップの保護的シールドから後退させ、それにより前記針チップを前記アダプタ通路を通して外側に向けて解放し、また前記接続部分は前記保護シールドが伸張して前記針および針チップを保護するときにのみ解除可能であり、それによって、前記シールドから露出されたときに前記針および針チップの連続的保護を確実にすることを特徴とする安全システム。
【請求項１９】  請求項１８に記載の医療針安全システムであって、前記接続部分は選択的に配置されたヒンジを含み、該ヒンジは、針に対して過大な横断力を加えずに前記シールドを後退させるように弧状であることを特徴とする安全システム。